(57)【要約】　　　（修正有）【課題】簡素な構成で間仕切りとして使用できるとともに天板として簡易テーブルを構成することも可能な有用で新しいスクリーンを提供する。【解決手段】平板材に、天板Ｄ１を挿入可能な切欠部３を形成して、天板付き家具たるデスクＤの取付状態において前記天板面Ｄ１ａにより上方に位置する部位を間仕切り部１として機能させるとともに、天板面Ｄ１ａより下方に位置する部位を、前記切欠部３とともに間仕切り部の起立姿勢を維持する姿勢維持手段Ｋを構成するバランス部２として機能させるようにして間仕切りとして機能するようにするとともに、間仕切り部１及びバランス部２に、把持可能な孔５、引っ掛け用の孔６、筆記具収容具７２を取り付けるための孔を、前記切欠部３と合わせて、このスクリーンＳを水平姿勢で支持する支持体に形成され装着部を構成する突起に対応させるように形成することで簡易テーブルガ構成できる。【選択図】図３
2004065759.tif 000002
【特許請求の範囲】
【請求項１】
デスク等天板付き家具における天板の上方空間を仕切る間仕切り部と、この間仕切り部の前記天板付き家具に対する起立姿勢を維持させる姿勢維持手段と、前記間仕切り部を水平姿勢として前記天板付き家具とは異なる支持体に上方から載置しその支持体に形成された装着部に装着される被装着部とを有し、
前記間仕切り部を起立姿勢にして天板付き家具の間仕切りとして使用し、
前記支持体に水平姿勢にして装着された状態の前記間仕切り部の少なくとも一部を天板として支持体とともに簡易テーブルを構成し得るようにしているスクリーン。
【請求項２】
前記姿勢維持手段として、前記天板付き家具の天板面より下方に位置して前記間仕切り部の起立姿勢を重力を利用して維持させるバランス部を設けて、間仕切り部を自立させるようにしている請求項１記載のスクリーン。
【請求項３】
前記間仕切り部と前記バランス部とを一枚の平板材によって一体に形成し、
前記バランス部と、このバランス部と間仕切り部との境界部分に一端側に開放し前記天板付き家具の天板を挿入し得るように形成した切欠部とによって前記姿勢維持手段を構成し、前記支持体に対する装着状態において前記間仕切り部とバランス部とを前記簡易テーブルの天板とするようにしている請求項２記載のスクリーン。
【請求項４】
前記被装着部を、前記支持体に前記装着部として形成された上向きの突起に嵌め込まれる穴部によって構成し、この穴部に突起を嵌め込むことで支持体に装着し得るようにしている請求項１、２又は３記載のスクリーン。
【請求項５】
前記穴部の全部または一部が、別の所定用途のために形成されたものである請求項４記載のスクリーン。
【請求項６】
前記姿勢維持手段の構成要素を、前記被装着部の一部又は全部として機能させるようにしている請求項１、２、３、４又は５記載のスクリーン。
【請求項７】
デスク等天板付き家具における天板の上方空間を左右に仕切る間仕切り部と、この間仕切り部の前記天板付き家具に対する起立姿勢を維持させる姿勢維持手段とを備え前記間仕切り部を起立姿勢にして天板付き家具の間仕切りとして使用されるスクリーンと、このスクリーンを下方から支持する支持体とを備えてなり、
この支持体にスクリーンを装着する装着部を形成するととともに、前記スクリーンに、前記間仕切り部を水平姿勢として上方から載置して前記装着部に装着される被装着部を形成して、前記支持体に水平姿勢にして装着された状態の前記間仕切り部の少なくとも一部を天板としている簡易テーブル。
【請求項８】
前記支持体が、複数のフレーム材を組み立てることによって構成されるフレーム構造体である請求項７記載の簡易テーブル。
【請求項９】
前記支持体が、折り畳み可能なものである請求項７記載の簡易テーブル。
【請求項１０】
前記支持体を、２以上の支持体構成要素からなるものとし、各支持体構成要素を折り畳み可能に構成している請求項９記載の簡易テーブル。
【請求項１１】
前記支持体又は支持体構成要素に、折り畳んだ状態で前記スクリーンに形成された被引掛部に引っ掛け得る引掛部を形成している請求項９又は１０記載の簡易テーブル。
【請求項１２】
前記スクリーンが、前記天板付き家具の天板面より下方に位置して前記間仕切り部の起立姿勢を重力を利用して維持させるバランス部と前記間仕切り部とを一枚の平板材によって一体に形成され、前記バランス部とこのバランス部と間仕切り部との境界部分に一端側に開放し天板付き家具の天板を挿入し得るように形成した切欠部とによって前記姿勢維持手段を構成したものであり、前記切欠部の縁部を、被引掛部として機能させている請求項１１記載の簡易テーブル。
【請求項１３】
前記支持体を構成する脚部の少なくとも一部を、湾曲又は屈曲した形状に成形することで前記被引掛部に引っ掛け得る引掛部として機能させるようにしている請求項１１又は１２記載の簡易テーブル。
【請求項１４】
前記引掛部として機能するようにしている脚部に、前記スクリーンを差し込み得る差込部を形成している請求項１３記載の簡易スクリーン。
【発明の詳細な説明】
【０００１】
【発明の属する技術分野】
本発明は、天板付き家具に間仕切りとして用いられるスクリーンであって、簡易テーブルとしても利用できるスクリーンに関するものである。
【０００２】
【従来の技術】
従来、例えば、オフィスなどにおいて個人用のデスクを復数並べて複数の者が並んだ状態で仕事を行う場合には、各個人が個人ワークに集中するために、間仕切りとして隣接するデスクとの間に起立するサイドパネル等を取り付ける場合がある。
【０００３】
また、複数人で使用可能な会議テーブルのように比較的大きなテーブルを、一時的に何人かが個人ワークを行うテーブルとして使用するような際には、そのテーブルの天板上の空間を左右に仕切る簡易の間仕切りを取り付けて各人のワークスペースを確保するような場合もある。
【０００４】
一方、打ち合わせなどにおいて、個人デスクとは異なるテーブル等を必要とする場合があるが、専用スペースを利用する場合の他には、例えば折り畳み式等の簡易テーブル等を用意しておくなどしていた。
【０００５】
そして、上記のような間仕切りとして機能するサイドパネルや間仕切りと、簡易テーブルとは、同じオフィス内に存在する場合は多いが、別の構成部品からなるものであった。
【０００６】
【発明が解決しようとする課題】
そこで、発明者は、簡素な構成で間仕切りとして使用できるとともに天板として簡易テーブルを構成することも可能な有用で新しいスクリーンを提供する。
【０００７】
【課題を解決するための手段】
すなわち、本発明は、デスク等天板付き家具における天板の上方空間を左右に仕切る間仕切り部と、この間仕切り部の前記天板付き家具に対する起立姿勢を維持させる姿勢維持手段と、前記間仕切り部を水平姿勢として前記天板付き家具とは異なる支持体に上方から載置しその支持体に形成された装着部に装着される被装着部とを有し、前記間仕切り部を起立姿勢にして天板付き家具の間仕切りとして使用し、前記支持体に水平姿勢にして装着された状態の前記間仕切り部の少なくとも一部を天板として支持体とともに簡易テーブルを構成し得るようにしているスクリーンである。
【０００８】
なお、「姿勢維持手段」とは、間仕切り部の起立姿勢を維持させるためのもので、例えば天板付き家具に取り付けるための取付具など天板付き家具に間仕切り部を起立姿勢で取り付けるための手段という概念を含んでいるものである。
【０００９】
このようなスクリーンであれば、オフィス等において必要に応じて間仕切りとして或いは簡易テーブルとして使い分けることが可能となり使用者にとって便利である。特に不特定の者にとって使用可能なフリーアクセスタイプのワークスペースを有するオフィスなどに採用すれば、複数人で使用し得る大きさを有するテーブルの間仕切りとして使用して個人ワークスペースを確保し、２、３人で行う打ち合わせやミニコラボレーションの際にはスクリーンを簡易テーブルとして使用することができるようになり好適である。加えて、このように２つの機能を兼用させることで、オフィス空間に配置される家具類を減らしオフィスが雑然となるのを防止する効果をも奏する。
【００１０】
このようなスクリーンとして、簡素な構成で、しかも天板付き家具に対する着脱を簡単なものとするためには、姿勢維持手段として天板面より下方に位置して間仕切り部の起立姿勢を重力を利用して維持させるバランス部を設けて、間仕切り部を自立させるようにすると好ましい。このようなものであれば、天板付き家具に取り付けるための例えばねじや取付具などの固定手段を必要とせず、さらに、固定するための工具及び作業も要さず、極めて手軽に天板付き家具に対して装着及び脱抜することができるようになる。
【００１１】
そして、このようにバランス部を設けるようにして間仕切り部を自立させるようにしたものにおいて、構成を簡素化するとともに、天板面を大きく取ることができるようにするためには、間仕切り部とバランス部とを一枚の平板材によって一体に形成するようにし、バランス部と、このバランス部と間仕切り部との境界部分に一端側に開放するように形成し前記天板付き家具の天板を差し込み得る切欠部とによって前記姿勢維持手段を構成し、前記支持体に対する装着状態において前記間仕切り部とバランス部とを前記簡易テーブルの天板とするようにすれば好ましい。
【００１２】
一方、支持体に対する装着及び脱着を簡単なものとするためには、支持体に装着するための被装着部を、支持体に形成される上向きの突起に嵌め込まれる穴部によって構成し、この穴部に突起を嵌め込むことで支持体に装着できるようにすると望ましい。なお、穴部とは、貫通孔であっても窪みであってもよい。
【００１３】
また、製作工程を増加させないようにするためには、穴部の全部または一部として、別の所定用途のために形成されたものを利用するようにすれば好ましい。このような穴部としては、例えば、壁に掛けるための引っ掛け用の穴部、手で把持可能な穴部や、オプション物を取り付けるための穴部等が挙げられる。
【００１４】
さらに、製作の利便性を図るためには、姿勢維持手段の構成要素を、支持体に装着するための被装着部の一部又は全部として機能させるようにすると、好ましい。具体的には、請求項３記載の発明のように姿勢維持手段として切欠部を設けたような場合には、この切欠部を支持体に装着するための被装着部として機能させるようにすればよい。
【００１５】
また、本発明は、デスク等天板付き家具における天板の上方空間を左右に仕切る間仕切り部と、この間仕切り部の前記天板付き家具に対する起立姿勢を維持させる姿勢維持手段とを備え前記間仕切り部を起立姿勢にして天板付き家具の間仕切りとして使用されるスクリーンと、このスクリーンを下方から支持する支持体とを備えてなり、この支持体にスクリーンを装着する装着部を形成するととともに、スクリーンに、前記間仕切り部を水平姿勢として上方から載置して前記装着部に装着される被装着部を形成して、前記支持体に水平姿勢にして装着された状態の前記間仕切り部の少なくとも一部を天板としている簡易テーブルであってもよい。このようなものであれば、スクリーンを間仕切りとして使用することも、簡易テーブルとして使用することもできるようになる。
【００１６】
そして、このようなものの場合、支持体を、複数のフレーム材を組み立てることによって構成されるフレーム構造体とすると好適である。このような簡易テーブルは、個人デスクとは異なるフリーアクセス式のワークスペースに置かれて使用される場合が多いが、このようなフリーアクセス式のワークスペースに、常時支持体のみを置いておくと邪魔になりまた危険な場合もあるが、このようにフレーム材を組み立てることによって構成するものとすれば、必要時にのみ構造体に組み立て、不要時にはフレーム材にばらした状態ですなわちコンパクト化して保管することが可能となり、ワークスペースの有効利用が可能となるからである。
【００１７】
また、支持体を不要時にコンパクト化して邪魔にならないよう保管できるようにする別の実施態様として、支持体を折り畳み可能なものにしてもよい。そして、このように折り畳み可能なものとして、さらにコンパクトに収納できるようにするためには、支持体を２以上の支持体構成要素からなるものとし、それぞれの支持体構成要素を折り畳み可能に構成するようにすれば好ましい。すなわち、支持体を支持体構成要素に分解してそれぞれを折り畳んだ状態で、重ねて収納することができるようになる。
【００１８】
そして、支持体をスクリーンと共に収納可能なものとするためには、支持体又は支持体構成要素に、折り畳み状態でスクリーンに形成された被引掛部に引っ掛かり得る引掛部を形成して、収納の際には、例えば壁等に掛けた状態のスクリーンに引っ掛けるようにしておけばよい。なお、このような被引掛部としては、引掛部を引っ掛けるために形成したものであっても、別用途のために形成されたものであってもよい。このようなものにおいて、特にスクリーンが、前記天板付き家具の天板面より下方に位置して前記間仕切り部の起立姿勢を重力を利用して維持させるバランス部と前記間仕切り部とを一枚の平板材によって一体に形成され、前記バランス部とこのバランス部と間仕切り部との境界部分に一端側に開放し天板付き家具の天板を挿入し得るように形成した切欠部とによって前記姿勢維持手段を構成したようなものである場合には、前記切欠部の縁部を被引掛部として機能させるようにすれば、スクリーン側には、支持体を引っ掛けるための加工を施さずとも済むので好適である。
【００１９】
一方、支持体に形成される引掛部の具体的態様としては、支持体を構成する脚部の少なくとも一部を前記被引掛部に引っ掛り得るように湾曲又は屈曲した形状に成形することで前記引掛部として機能させるようにしているものが挙げられる。さらに、このようなものにおいて、被引掛部に安定して引っ掛けられるようにするためには、引掛部として機能するようにしている脚部にスクリーンを差し込む得る差込部を形成し、差込部にスクリーンの一部を差し込んだ状態で、脚部を当該スクリーンの切欠部に引っ掛けるようにすることが望ましい。
【００２０】
【発明の実施の形態】
以下、本発明の一実施形態を、図１から図７を参照して説明する。
【００２１】
本実施形態におけるスクリーンＳは、図７に示すようなオフィススペースにおいて不特定の者が使用可能に設定したフリーアクセスワークスペースＦＷＳ等に配置される図３及び図４（図７）に示したような天板付き家具たるデスクＤに取り付けて間仕切りとして使用し、図５及び図６に示したように支持体Ｌに装着してこの支持体Ｌとともに簡易テーブルＴを構成できるようにしたものである。
【００２２】
スクリーンＳを取り付けているデスクＤは、２人で使用できる程度の天板面積を有した天板Ｄ１を左右の脚体Ｄ２に支持させることにより構成されている。
【００２３】
スクリーンＳは、前記デスクＤの天板Ｄ１の上方空間を左右に仕切る間仕切り部１と、この間仕切り部１の前記デスクＤに対する起立姿勢を維持させる姿勢維持手段Ｋとを備えているものである。
【００２４】
具体的には、このスクリーンＳは、対向した２面を有する一枚の平板材を利用して前記間仕切り部１及び姿勢維持手段Ｋを構成したものである。まず、この平板材について説明すると、ＭＤＦやウレタン硬化樹脂などから構成した芯の表面にメラミン化粧板を貼り、さらにそのメラミン化粧板の表面にホワイトボードシートを貼付けて構成したもので、簡易テーブルの天板としての強度を確保するとともに、前記上下方向に広がる対向した２面全面を、筆記具Ｈなど所定の筆記具で書き込めるようにしたものである。そして、デスクＤに対する取付状態において、天板面Ｄ１ａ領域を干渉せず且つ起立可能な厚み幅寸法（例えば、８ミリメートル）に設定されている。また、この平板材は、本実施形態においては、その側面視外形状が略円形をなすように成形されたものであり、角を有さない形状にすることで安全性を確保し、またデザイン的にも優しい印象を与えるものとしているが、このような形状に限らず、その側面視を、矩形状や逆三角形をなすものとしてもよい。なお、この側面視の「側面」としているのは、デスクＤに取り付けた状態において、すなわち間仕切り部１の起立姿勢において、当該デスクＤの側面に対応する面を指しており、図２に示した面のことである。また、以下でスクリーンＳの構成を説明する上で、便宜上、間仕切り部１を起立姿勢とした状態における上下方向及び水平方向を用いて説明している。
【００２５】
そして、前記平板材に、天板Ｄ１を挿入可能な切欠部３を形成して、この切欠部３にデスクＤの前記天板Ｄ１を挿入して取り付けられるようにし、その取付状態において前記天板面Ｄ１ａにより上方に位置する部位を前記間仕切り部１として機能させるとともに、天板面Ｄ１ａより下方に位置する部位を前記間仕切り部１の起立姿勢を重力を利用して維持させるバランス部２として機能させ、このバランス部２と前記切欠部３とによって間仕切り部１を自立させその起立姿勢を維持する姿勢維持手段Ｋを構成している。
【００２６】
より具体的には、切欠部３は、前記平板材の一端側に開口し略水平方向に沿って切り欠いて形成したものであり、間仕切り部１とバランス部２との境界部分に位置するものである。本実施形態では、開口端部３ａとは反対側の奥端部３ｂを、側面視外方に湾曲した形状をなすように成形し、また、その上縁部３ｃ（図２参照）を、スクリーンＳの上下方向における略中央位置に位置付けるようにように設定している。また、その開口幅寸法を、一般的な天板Ｄ１の厚み寸法より大きく設定している。また、この切欠部３の天板Ｄに接触する部位となる上縁部３ｃには、滑り止め手段として樹脂性のカバー４を装着している。従って、取付状態においては、このカバー４の下端面４ａが天板Ｄ１に当接する載置面を構成することになる。そして、このカバー４を、前記上縁部３ｃから奥端部３ｂの上半分位置まで連続して取り付けるようにしている。なお、図２において、符号３１を付している想像線で示しているように、切欠部３の下方側の所定位置から開口端部３ａ側に向かって漸次その開口幅寸法が大きくなるような傾斜部を形成して、天板Ｄ１を挿入し易くしてもよい。
【００２７】
間仕切り部１は、前述したように当該スクリーンＳを天板Ｄ１に載置させた場合に天板面Ｄ１ａより上方に位置する部位がその機能を担っており、すなわち、図３に示すように、カバー４の下端面４ａよりも上方側に位置する部分が相当することになる。この間仕切り部１は、側面視半円形をなしており、その上下幅寸法は通常このデスクＤに着座した者の頭部が少し出る程度（例えば天板面Ｄ１ａより４０センチメートル、図４参照）の高さ寸法に設定している。この間仕切り部１の上端部側には、手で把持可能な大きさ及び位置に設定され把持部として機能する長孔状の孔５を形成して、スクリーンＳを持ち運びやすくしている。さらに、バランス部２との境界部分には孔６を形成して、この孔６を壁などに取り付けたフック等に引っ掛けることができるようになっている。
【００２８】
バランス部２は、前述したように間仕切りとして使用する際に当該スクリーンＳをデスクＤに取り付けた場合に天板面Ｄ１ａに下方に位置する部分がその機能を有するもので、すなわち、本実施形態では、図２に示すように前記カバー４の下端面４ａよりも下方側に位置する部分が相当することになる。また下端部近傍には、孔７１が形成されており、この孔７１に筆記具Ｈを収容する筆記具収容具７２を引っ掛けて取り付けるようにしてスクリーンＳの表面に書き込むための筆記具Ｈを保持する筆記具保持部７を構成している。
【００２９】
しかして、本実施形態では、スクリーンＳの間仕切り部１とこの間仕切り部１に連続するバランス部２とを、簡易テーブルＴの天板として利用できるように、上記切欠部３、孔５、孔６、孔７１を、前記間仕切り部１を水平姿勢として上方から載置した際に後述する支持体Ｌの装着部Ｐを構成する突起８１ａに対応した位置に形成するようにして、これら切欠部３、孔５、孔６及び孔７１を、被装着部Ｑを構成する穴部として機能させている。具体的には、切欠部３、孔５、孔６及び孔７１を、前記突起８１ａを挿入可能な大きさ以上に設定するとともに、突起８１ａに対応した位置に形成するようにしている。なお、本実施形態においては、間仕切り部１を水平姿勢とすれば、バランス部２も水平姿勢となるのは勿論である。
【００３０】
一方、このスクリーンＳを装着して簡易テーブルＴを構成する支持体Ｌは、図５及び図６に示しているように、本実施形態においては、丸パイプ材からなる複数のフレーム材ＦをジョイントＪによって接続して組み立て、上下方向に延びる脚部８１と、これら隣接する脚部８１間を連結する上下の補強部８２、８３とを形成しているフレーム構造体である。なお、ジョイントＪは、公知のものを利用している。前記脚部８１は、平面視正方形の４隅に対応する位置に配置され、この脚部８１の上補強部８２より上方へ突出した部分を、前記切欠部３、孔５、孔６及び孔７１に嵌め込む上向きの突起８１ａとしている。また、前記切欠部３、孔５、孔６及び孔７１は、貫通した孔であるため、これらに前記突起８１ａをそれぞれ挿入した状態で、上補強部８２の上端部分によって間仕切り部１及びバランス部２の下向きとなる面を支持させるようにしている。すなわち、前記突起８１ａ及び上補強部８２とによって装着部Ｐが構成されている。
【００３１】
次に、以上のように構成した本実施形態のスクリーンＳ及びこのスクリーンＳによって構成される簡易テーブルＴを使用する場合について説明する。
【００３２】
まず、デスクＤの間仕切りとして使用する場合について説明する。まず、デスクＤに取り付ける際には、スクリーンＳを、天板Ｄ１の所望の位置において、その切欠部３内に奥行き方向に沿って天板Ｄ１を差し込むように移動させ、間仕切り部１が起立姿勢となるように取り付ける。そして、例えば、デスクＤを２人でシェアしてそれぞれのワークスペースを確保するためには、図３の左側のデスクＤに示したように、スクリーンＳを、天板Ｄ１の幅方向の略中央位置に取り付けるようにする。この際、スクリーンＳを、切欠部３の奥端部３ｂが天板Ｄ１の使用縁部Ｄ１ｂと接触する位置まで挿入するようにしてもよいし、着座者Ｐを隠蔽するように天板Ｄ１より少し手前側に位置するようにしてもよい。また、隣接するデスクＤ、Ｄ間の間仕切りとして使用する場合には、図３の右側のデスクＤに示したように、スクリーンＳをバランス部２がデスクＤの脚部Ｄ２に沿うような位置に取り付けるようにすれば、間仕切り部２に対して側方からの力が作用した場合に、バランス部２が脚部Ｄ２に当接してスクリーンＳの揺れが規制される。また、図７に示している個人ワークスペースＰＷＳに配置される個人用デスクＤ’の天板Ｄ１’に取り付けるようにして、この個人用デスクＤ’、Ｄ’間の間仕切りとして使用することもできる。
【００３３】
一方、スクリーンＳを前記支持体Ｌに装着して簡易テーブルＴを構成する場合について説明する。まず、支持体Ｌを複数のフレーム材ＦをジョイントＪで接続し脚部８１及び補強部８２、８３を構成するように組み立てる。なお、フレーム材ＦとジョイントＪとを固定するためにはねじなどの適宜の手段を用いているが、図中省略している。次に、間仕切り部１及びバランス部２が水平姿勢となるようにして上方から、組み立てた状態の支持体Ｌに近づけ、支持体Ｌの上向きの４つの突起８１ａそれぞれに、切欠部３、孔５、孔６及び孔７１を嵌め込むようにする。なお、図５、６及び７において、スクリーンＳを簡易テーブルＴの天板として使用する際には、前記カバー４を外して使用している様子を示しているが、装着したままの状態であってもよい。そして、簡易テーブルを必要としない場合は、スクリーンＳを支持体Ｌから脱着するとともに、支持体Ｌを分解して所定の箇所にまとめて保管するなどすればよい。
【００３４】
さらに、スクリーンＳ自体を必要としない場合には、例えば、前記孔６を利用して壁に設けたフックなどに引っ掛けるようにして保管する。なお、このようなフックに引っ掛けるのは、長孔状に形成した孔５を利用してもよい。
【００３５】
以上のように構成したスクリーンＳは、間仕切りとして使用することができ、なお且つ簡易テーブルＴを構成することできるため、必要に応じて使い分けが可能である。特に、図７において符号ＦＷＳで示したようなオフィスのフリーアクセスタイプのワークスペースに用いた場合等には、個人ワークスペースを必要とする機会や、打ち合わせやミニコラボレーション等の際の２、３人程度で使用できるようなテーブルを必要とする機会が発生し易いため極めて便利である。
【００３６】
また、間仕切りとして使用する際には、デスクＤ（Ｄ’）の天板面Ｄ１ａ（Ｄ１ａ’）に載置するだけで固定することなく間仕切り部１の起立姿勢を維持できるため、手軽にスピーディーに取り付けることができる。加えて、簡易テーブルＴとして使用する際にも、支持体Ｌに対してその突起８１ａに切欠部３、孔５、孔６及び孔７１を嵌め込むだけで固定することなく装着できるので、装着のための部品及び工具を必要とせず、手軽に取り付けることができる。
【００３７】
間仕切り部１とバランス部２とを一枚の平板材から構成するようにしたので極めて簡素な構成で間仕切りとして機能するスクリーンＳを提供することができるとともに、簡易テーブルＴを構成する際には、その天板面を大きなものとすることができる。
【００３８】
また、支持体Ｌに装着するための被装着部Ｑを、当該被装着部Ｑとは別の用途、すなわち持ち運び時に把持するための孔５、壁などに引っ掛けるための孔６、筆記具保持部７を構成する孔７１を利用して構成しているので、製作が煩雑化するのを防ぐことができる。さらに、姿勢維持手段Ｋの構成要素である切欠部３を、被装着部Ｑとして機能させているので、間仕切りとしても簡易テーブルＴの構成要素としても利用できるようにしたものにおいて、それらのための加工をそれぞれ行わずともよく、また構成も簡素化できる。
【００３９】
また、簡易テーブルＴを構成する支持体Ｌを、フレーム材Ｆを組み立てることによって構成しているので、不必要な場合には、支持体Ｌを分解しコンパクト化した状態で収納できるので便利であり、オフィス空間を有効に利用できることにもなる。
【００４０】
また、このスクリーンＳは、間仕切りとして使用する場合に、以下のような効果を奏する。
【００４１】
間仕切り部１の起立姿勢を、天板面Ｄ１ａより下方に設けたバランス部２によって重力を利用してバランスを取って維持するようにしているので、間仕切り部１に外力が作用した場合でも、前記バランス部２によって起立姿勢に戻す力が作用し、簡単には倒れず起立姿勢を維持することができる。また、スクリーンＳを、バランス部２がデスクＤの脚部Ｄ２の近傍に位置するように取り付けた場合には、バランス部２がその脚部Ｄ２に当たり、スクリーンＳの揺れ及び転倒を防ぐ効果を奏する。
【００４２】
また、切欠部３の上縁部３ｃを、上下方向の略中央位置に配置するように切欠部３を形成したので、上縁部３ｃに装着され載置面を形成するカバー４の下端面４ａも上下方向の略中央位置に配置されることになり、天板面Ｄ１ａ（Ｄ１ａ’）に載置させた状態でのバランスを良好なものとし、なお且つ間仕切り部１の面積を大きくとることができる。
【００４３】
切欠部３の奥端部３ｂを外方に湾曲させるようにしているので、切欠部３の奥方までデスクＤの天板Ｄ１を挿入した場合に、Ｒ形状をなす使用縁部Ｄ１ｂにほどよくフィットさせることが可能であり、がたつきの少ない安定した状態での取り付けが可能である。
【００４４】
また、切欠部３の上下幅寸法を一般的な厚み幅より大きく設定しているので、様々な天板付き家具に対して取り付けることできる。
【００４５】
天板Ｄ１（Ｄ１’）に接触する部位である切欠部３の上縁部３ｃに樹脂製のカバー４を取り付けたので、天板Ｄ１（Ｄ１’）に対する載置面が摩擦力の大きなものとなり起立姿勢の維持に有効である。
【００４６】
スクリーンＳを構成する平板材にホワイトボードシートを貼り付けて、筆記具Ｈで書き込み可能なものとしているので、デスクＤ（Ｄ’）周りの機能性を向上させることができる。特にオフィスのデスクに利用する場合には、個人の予定表や伝達事項などを書き込めて有用なものとなる。さらに、筆記具保持部７により筆記具ＨをスクリーンＳに保持させておけるので便利である。また、この筆記具保持部７は、バランス部２のウエイトとしての効果をも奏する。なお、書き込み可能な面を、スクリーンＳの一部に形成したものであってもよい。
【００４７】
また、把持可能な孔５を設けたので、本実施形態のように薄く構成したスクリーンＳであってもその持ち運びが簡単であり、またデスクＤ（Ｄ’）からの取り外し作業も簡単に行える。
【００４８】
本発明は上記実施形態に限られない。
【００４９】
例えば、支持体として、金属等からなるフレーム材を溶接して構成したようなものであってもよい。
【００５０】
また、切欠部に嵌め込む差込板を設けて簡易テーブルの天板として使用する際に、天板面を略面一にして使い易くしたようなものであってもよい。
【００５１】
また、筆記具保持部として、図８、９に示すようにスクリーンＳのバランス部２の切欠部３より下方で、天板Ｄ１に取り付けた際の奥行き方向における略中央位置の両面にスチール製の筆記具取付用プレート７３、７４を取り付けるようにして、この筆記具取付用プレート７３、７４に磁力で付着するマグネット部７５とイレーサ部７６とを具備してなるキャップ７７によってマーカ等の筆記具Ｈを保持するように構成した筆記具保持部７’を備えたようなものであってもよい。このような筆記具取付用プレート７３、７４のうち筆記具取付用プレート７３（図中右側）は、例えば図９に示したように、バランス部２に形成した孔７８に一方側から内部にねじ孔７３１を有し前記孔７８に嵌め込まれる筒状の取付部７３２を備えてなり、他方筆記具取付用プレート７４は、孔７８に他方側から前記ねじ孔７３１に締結するねじ部７４１を備えてなるもので、これら筆記具取付用プレート７３と７４とはねじ作用によって互いに固定されるようにしてある。なお、この筆記具取付用プレートとしては、その他、粘着面を有して、バランス部２の表面に貼着するようなものであってもよい。このような筆記具保持部７’を備えれば、スクリーンＳを間仕切りとして使用する際に、スクリーンＳの両側でマーカ等の筆記具Ｈを使用でき便利であるとともに、当該筆記具保持部７’をバランス部２のウエイトとしても機能させることができ、間仕切り部１の起立姿勢の維持にも役立つ。なお、このようなものの場合、孔７１は、筆記具保持部７’を構成するものではなく、スクリーンＳを支持体Ｌに装着する場合の被装着部Ｑとしてのみ機能する。また、図８及び図９において、上記実施形態と同じ構成については、省略しているものもある。
【００５２】
その他、前記スクリーンＳを、図１０に示した支持体Ｌ１に支持させるようにして簡易テーブルＴ１を構成してもよい。
【００５３】
この支持体Ｌ１は、樹脂等を素材として内部に収納空間を有しこの収納空間を開閉させる扉１０８４を備えて筐体状に形成した本体１０８を主たる構成とし、スクリーンＳの被装着部Ｑに対応させてこの本体１０８１の上面１０８ａから上方に突出する突起１０８１ａを形成して、これら上面１０８ａ及び突起１０８１ａとによって装着部Ｐ１を構成するようにしている。すなわち、スクリーンＳを上方から載置した際に、前記突起１０８１ａを被装着部Ｑを構成する切欠部３、孔５、孔６及び孔７１に挿入し、スクリーンＳの下方へ向く面を、間仕切り部１０８の上面１０８ａで支持させることで、間仕切り部１及びバランス部２を水平姿勢に維持している。
【００５４】
また、前記スクリーンＳを、図１１〜１４に示すような支持体Ｌ２によって支持させることによって簡易テーブルＴ２を構成するようにしてもよい。
【００５５】
この支持体Ｌ２は、対向する１対の第１脚部２０８０及び第２脚部２０８１を平面視略正方形をなすように４隅に配置し、これら隣接する第１脚部２０８０と第２脚部２０８１との間を連結する上下の補強部２０８２、２０８３を配して構成したものである。そして、前記第１脚部２０８０及び第２脚部２０８１の上端部には、第１脚部２０８０と第２脚部２０８１の上端部から上方へ突出する突起２０８０ａ、２０８１ａを形成して、この突起２０８０ａ、２０８１ａを前記スクリーンＳの切欠部３、孔５、孔６及び孔７１に挿入するとともに、上補強部２０８２の上端部分によって間仕切り部１及びバランス部２の下向きとなる面を支持させるようにしてスクリーンＳを装着するための装着部Ｐ２を構成している。
【００５６】
そして、この実施形態においては、支持体Ｌ２を、前記第２脚部２０８１を縦方向の半割成形のものすることで、２つの支持体構成要素Ｌ２ａ、Ｌ２ｂに分割できるようにしており、これら２つの支持体構成要素Ｌ２ａ、Ｌ２ｂを、図示しない適宜の手段によって固定して支持体Ｌ２を構成するようにしている。さらに、これら支持体構成要素Ｌ２ａ、Ｌ２ｂを、図１２において簡略化して示したヒンジＨによって上下の補強部２０８２、２０８３を第１脚部２０８０に対して回動可能に取り付けることで、折り畳み可能に構成している。具体的には、この支持体構成要素Ｌ２ａ、Ｌ２ｂは、前記ヒンジＨによって、第１脚部１０８０を挟んだ２つの補強部２０８２、２０８２及び２０８３、２０８３が略直交する使用位置（ｍ）と、２つの補強部２０８２、２０８２及び２０８３、２０８３が略平行をなし折り畳まれた状態となる折り畳み位置（ｎ）との間を回動できるようになっている。また、前記第１脚部２０８０を、その平断面が湾曲した形状となるように成形することで、図１３、１４に示したように、２つの支持体構成要素Ｌ２ａ、Ｌ２ｂを折り畳まれた状態とした場合に、この第１脚部２０８０を、被引掛部たるスクリーンＳの切欠部３の下縁部３ｄに引っ掛かる引掛部として機能するようにしている。さらに、この第１脚部２０８０には、前記スクリーンＳの切欠部３の下縁部３ｄに引っ掛けた際に、スクリーンＳの一部を差し込むことができるように下端から切り欠いて形成した差込部２０８５を形成している。
【００５７】
このような実施形態の簡易テーブルＴ２であれば、支持体Ｌ２を、不要時には２つの支持体構成要素Ｌ２ａ、Ｌ２ｂに分解してそれぞれを折り畳んだ状態で重ねて収納することができるため、邪魔にならないよう保管できる。しかも、切欠部３を被引掛部として利用するようにしているため、スクリーンＳ側には、支持体Ｌ２を引っ掛けるための加工を必要としない。さらに、第１脚部２０８１を、引掛部として機能させるようにしているので、部品点数を増加させないで済む。
【００５８】
また、この支持体構成要素Ｌ２ａ、Ｌ２ｂそれぞれが、スクリーンＳの切欠部３の下縁部３ｄに引っ掛けられるため、図１４に示したように壁Ｗに掛けたスクリーンＳと共に保管することができ便利である。
【００５９】
さらに、本実施形態においては、第１脚部２０８０にスクリーンＳを差し込むことができる差込部２０８５を形成しているため、この差込部２０８５を、スクリーンＳの奥方側（間仕切りとして使用した場合に奥方に位置する側）に差し込むようにすることで、バランスよく安定した状態で、切欠部３の下縁部３ｄに引っ掛けることができるようになる。
【００６０】
さらに、スクリーンとしては図１５及び図１６に示したようなスクリーンＳ１であってもよく、このスクリーンＳ１を、支持体Ｌ３に支持させるようにして簡易テーブルＴ３を構成するようにしてもよい。
【００６１】
まず、支持体Ｌ３から説明すると、この支持体Ｌ３は、樹脂などを素材とした角材からなるフレーム材Ｆ’をジョイントＪ’で接続して、脚部３０８１及びこれら脚部３０８１間を接続する水平方向に延びる補強部３０８２とを形成したものである。そして、前記脚部３０８１の上端部３０８１ａをスクリーンＳ１を装着する装着部Ｐ３を構成する上向きの突起として機能させている。また、この脚部３０８１の下端にはキャスタＣを取り付けて移動をし易くしている。
【００６２】
また、スクリーンＳ１は、略矩形をなす平板材からなる間仕切り部１０１と、この間仕切り部１０１の天板付き家具たるデスクＤに対する起立姿勢を維持させる姿勢維持手段たる取付部Ｋ１を有したものである。この取付部Ｋ１は、天板Ｄ１の使用縁部或いは反使用縁部をねじ作用によって挟み込むいわゆるクランプの構造を利用したものである。間仕切り部１０１は、その一方の面を支持体Ｌ３側の装着部Ｐ２に対応させて窪ませた穴部Ｑ１１からなる被装着部Ｑ１が形成されている。
【００６３】
このようなスクリーンＳ１であっても、図１５に示しているようにデスクＤに取り付けて間仕切りとして利用し、一方、図１６に示すように支持体Ｌ３と簡易テーブルＴ３を構成し、必要に応じて使い分けが可能である。
【００６４】
その他、各部の具体的構成についても上記実施形態に限られるものではなく、本発明の趣旨を逸脱しない範囲で種々変形が可能である。
【００６５】
【発明の効果】
本発明は、以上説明したような形態で実施され、以下に記載されるような効果を奏する。
【００６６】
すなわち、本発明のスクリーンであれば、オフィス等において必要に応じて間仕切りとして或いは簡易テーブルとして使い分けることができ、使用者にとって便利である。特に不特定の者に対して使用可能としているフリーアクセスタイプのワークスペースを有するオフィスなどに採用すれば、複数人で使用可能な大きさを有するテーブルの間仕切りとして使用して個人ワークスペースを確保し、２、３人で行う打ち合わせやミニコラボレーションの際にはスクリーンを簡易テーブルとして使用することができるようになり好適である。加えて、このように２つの機能を兼用させることで、オフィス空間に配置される家具類を減らしオフィスが雑然となってしまうのを防止する効果をも奏する。
【００６７】
また、本発明の簡易テーブルによれば、簡易テーブルを構成するスクリーンを間仕切りとして使用することも可能であり、必要に応じて使い分けをすることができる。そして、上述の本発明のスクリーンと同様の効果を奏する。
【図面の簡単な説明】
【図１】本発明の一実施形態を示す全体斜視図。
【図２】図１における側面図。
【図３】同実施形態の一使用状態を示す斜視図。
【図４】同実施形態の同使用状態を示す側面図。
【図５】同実施形態の別の使用状態を示す斜視図。
【図６】同実施形態のスクリーンを利用した簡易テーブルを示す説明図。
【図７】同実施形態の使用例を示す図。
【図８】同実施形態のスクリーンの変形例を示す図。
【図９】図８における要部断面図。
【図１０】同実施形態のスクリーンを利用した簡易テーブルの別の実施態様を示す図。
【図１１】同実施形態のスクリーンを利用した簡易テーブルの別の実施態様を示す図。
【図１２】同簡易テーブルを構成する支持体を示す説明図。
【図１３】同簡易テーブルを構成する支持体の使用状態を示す斜視図。
【図１４】同簡易テーブルの使用状態を示す斜視図。
【図１５】本発明の別の実施形態の使用状態を示す側面図。
【図１６】本発明の別の実施形態の使用状態を示す斜視図。
【符号の説明】
１・・・間仕切り部
２・・・バランス部
３・・・切欠部
３ｄ・・・被引掛部（切欠部の下縁部）
５・・・穴部（孔）
６・・・穴部（孔）
７１・・・穴部（孔）
８１ａ・・・突起
Ｄ・・・天板付き家具（デスク）
Ｄ１・・・天板
Ｄ１ａ・・・天板面
Ｋ・・・姿勢維持手段
Ｌ・・・支持体
Ｐ・・・装着部
Ｓ・・・スクリーン
Ｔ・・・簡易テーブル
１０１・・・間仕切り部
１０８１ａ・・・突起
２０８０・・・引掛部（第１脚部）
２０８０ａ、２０８１ａ・・・突起
２０８５・・・差込部
３０８１ａ・・・突起（脚部の上端部）
Ｋ１・・・取付部（姿勢維持手段）
Ｌ１、Ｌ２、Ｌ３・・・支持体
Ｐ１、Ｐ２、Ｐ３・・・装着部
Ｑ、Ｑ１・・・被装着部
Ｑ１１・・・穴部
Ｓ１・・・スクリーン
Ｔ１、Ｔ２、Ｔ３・・・簡易テーブル
【図１】
2004065759.tif 000003
【図２】
2004065759.tif 000004
【図３】
2004065759.tif 000005
【図４】
2004065759.tif 000006
【図５】
2004065759.tif 000007
【図６】
2004065759.tif 000008
【図７】
2004065759.tif 000009
【図８】
2004065759.tif 000010
【図９】
2004065759.tif 000011
【図１０】
2004065759.tif 000012
【図１１】
2004065759.tif 000013
【図１２】
2004065759.tif 000014
【図１３】
2004065759.tif 000015
【図１４】
2004065759.tif 000016
【図１５】
2004065759.tif 000017
【図１６】
2004065759.tif 000018